(57)【要約】【課題】  本考案は、足の甲や足の裏、かかと、足の指の間等に、抗真菌外用剤を含む軟膏を塗布するのに好適な軟膏塗布具を提供する。【解決手段】  抗真菌外用剤を含む軟膏を足に塗るための軟膏塗布具Ｎは、所要長さを有する柄部材１と、柄部材１の一端側に取り付けてある塗布部材２とを備えており、塗布部材２は湾曲した塗布面２００，２０１を備えており、一方の塗布面２００がかかとに沿うまたは実質的に沿う形状に形成してあり、他方の塗布面２０１が足の甲や足の裏に沿うまたは実質的に沿う形状に形成してある。【選択図】図１
0003126083.tif 000002
【実用新案登録請求の範囲】
【請求項１】
抗真菌外用剤を含む軟膏を足に塗るための軟膏塗布具(N)であって、
所要長さを有する柄部材(1)と、
柄部材(1)の一端側に取り付けてある塗布部材(2)と、
を備えており、
塗布部材(2)は湾曲した塗布面(200,201)を備えており、一方の塗布面(200)がかかとに沿うまたは実質的に沿う形状に形成してあり、他方の塗布面(201)が足の甲や足の裏に沿うまたは実質的に沿う形状に形成してある、
軟膏塗布具。
【請求項２】
塗布部材(2)は板状体を靴べら状に湾曲させた形状を有する、
請求項１記載の軟膏塗布具。
【請求項３】
足の指の間に入り込むことができる形状を有しており、軟膏を足の指の間に塗布する指用塗布部材(3)を備える、
請求項１または２記載の軟膏塗布具。
【請求項４】
塗布部材(2)または指用塗布部(3)は交換可能に設けてある、
請求項１，２または３記載の軟膏塗布具。
【考案の詳細な説明】
【技術分野】
【０００１】
本考案は軟膏塗布具に関する。更に詳しくは、足の甲や足の裏、かかと、足の指の間等に、抗真菌外用剤を含む軟膏を塗布するのに好適な軟膏塗布具に関する。
【背景技術】
【０００２】
白癬は、真菌の一種である白癬菌が皮膚に感染することによって起こる皮膚病のひとつである。白癬は、近年益々増加傾向にあり、特に足白癬、いわゆる水虫にいたっては日本人口の４人に１人が感染しているといわれている。足白癬は、抗真菌外用剤を含む軟膏を足の甲や足の裏、かかと、足の指の間等に塗布して治療される。
【０００３】
軟膏の塗布は自分自身で行うことが好ましい。しかし、変形性股関節症や関節リウマチ等により人工股関節置換術といわれる手術を受けた患者は、足を曲げることで股関節が脱臼し易いので、軟膏の塗布が自分自身では困難な場合があった。
【０００４】
従来、自分自身では手等が届きにくい箇所に、軟膏等の外用薬を塗布する際の塗布具として、例えば、特許文献１に開示されたものがある。この軟膏塗布具は、ハンドル部材と回転体を備え、更に回転体は一面に平滑な軟膏ぬり面を有し、他面に複数の掻き用突起部からなるまごの手部が設けられた構造を有している。この塗布具によれば、回転体の軟膏ぬり面に軟膏をつけて、自分自身で背中等の手の届きにくい箇所に軟膏を塗布することができる。
【特許文献１】特開２００５−１７７０５７号公報
【考案の開示】
【考案が解決しようとする課題】
【０００５】
しかし、上記した従来の軟膏塗布具には、次のような課題があった。
即ち、上記した軟膏塗布具は、軟膏を付ける軟膏ぬり面が平滑な面状を有していたので、曲面の多い足の甲や足の裏、かかと等に軟膏を満遍なく塗布することは困難であった。ましてや軟膏を足の指の間に塗布することはできない。
【０００６】
本考案の目的は、足の甲や足の裏、かかと、足の指の間等に抗真菌外用剤を含む軟膏を塗布するのに好適な軟膏塗布具を提供することにある。
【課題を解決するための手段】
【０００７】
上記目的を達成するために本考案が講じた手段は次のとおりである。
本考案は、抗真菌外用剤を含む軟膏を足に塗るための軟膏塗布具であって、所要長さを有する柄部材と、柄部材の一端側に取り付けてある塗布部材とを備えており、塗布部材は湾曲した塗布面を備えており、一方の塗布面がかかとに沿うまたは実質的に沿う形状に形成してあり、他方の塗布面が足の甲や足の裏に沿うまたは実質的に沿う形状に形成してある軟膏塗布具である。
【０００８】
塗布部材は板状体を靴べら状に湾曲させた形状を有することが好ましい。
【０００９】
足の指の間に入り込むことができる形状を有しており、軟膏を足の指の間に塗布する指用塗布部材を備えることが好ましい。
【００１０】
塗布部材または指用塗布部は交換可能に設けてあることが好ましい。
【００１１】
塗布部材または指用塗布部は洗浄可能であることが好ましい。
【００１２】
塗布部材は柄部材に対して角度が調整可能であることが好ましい。
【００１３】
本明細書及び実用新案登録請求の範囲において「軟膏」という用語は、クリーム状、ペースト状、ゲル状またはゼリー状のものを含む概念として使用している。
【００１４】
抗真菌外用剤としては、例えば、トルナフテート、ハロブロジン、フェニルヨード・ウンデシノエート、バリオチン、ピロールニトリン、シッカニン(白癬、癜風) 、ナイスタチン、トリコマイシン、ピマリシン(カンジダ症) 、イミダゾール（クロトリマゾール、ミコナゾール、エコナゾール、イソコナゾール、チオコナゾール、オキシコナゾール、クロコナゾール、スルコナゾール、ケトコナゾール）、シクロピロクス・オラミン(カンジダ症、白癬、癜風) 、エキサラミド、トルシクレート、ビフォナゾール、ケトコナゾール、ネチコナゾール、ラノコナゾール、テルビナフィン、塩酸テルビナフィン（例えば、ラミシール（商標））、アモロルフィン(カンジダ症、白癬、癜風)、ブテナフィン(皮膚糸状菌) 等がある。
【００１５】
なお、実用新案登録請求の範囲及び次の作用の欄では、本考案の各構成要件のそれぞれに、後述する実施の形態において各部に付与した符号を対応させて付与して説明している。しかし、この符号の付与はあくまで説明の理解を容易にするためであって、各構成要件の上記各部への限定を意味するものではない。
【００１６】
（作  用）
本考案に係る軟膏塗布具の作用を説明する。
軟膏塗布具(N)は、足の甲や足の裏、かかと、足の指の間等に、抗真菌外用剤を含む軟膏を塗布するのに好適なものである。軟膏塗布具(N)によれば、一方の塗布面(200)に軟膏を付け、塗布面(200)をかかとに沿わせて当てることで、軟膏をかかとに満遍なく塗りつけることができる。また、他方の塗布面(201)に軟膏を付け、塗布面(201)を足の甲や足の裏に沿わせて当てることで、軟膏を足の甲や足の裏に満遍なく塗りつけることができる。
【００１７】
指用塗布部材(3)を備えるものは、軟膏を付けた指用塗布部材(3)を足の指の間に当てることで、軟膏を足の指の間に塗りつけることができる。
【００１８】
また、塗布部材(2)または指用塗布部(3)が交換可能なものは、例えば、経年劣化等により破損した場合でも、塗布部材(2)または指用塗布部(3)が新しいものに交換できる。これにより長期にわたって使用することが可能である。
【考案の効果】
【００１９】
本考案は上記構成を備え、次の効果を有する。
（ａ）軟膏塗布具は、足の甲や足の裏、かかと、足の指の間等に、抗真菌外用剤を含む軟膏を塗布するのに好適なものである。軟膏塗布具によれば、湾曲した一方の塗布面をかかとに沿わせて当てることができるので、当該塗布面に付けた軟膏をかかとに満遍なく塗りつけることができる。また、湾曲した他方の塗布面を足の甲や足の裏に沿わせて当てることができるので、当該塗布面に付けた軟膏を足の甲や足の裏に満遍なく塗りつけることができる。
【００２０】
（ｂ）軟膏塗布具を使用すれば、自分自身では手等が届きにくくなっている箇所でも、軟膏が満遍なく塗布できる。従って、軟膏塗布具を使うことにより、例えば、人工股関節置換術を受ける等して関節可動域制限ある患者でも、無理な姿勢をとることなく足への軟膏の塗布が自分自身でできる。
【００２１】
（ｃ）指用塗布部材を備えるものは、柄部材を持って軟膏を付けた指用塗布部材を足の指の間に当てることで、軟膏を足の指の間に塗りつけることができる。
【００２２】
（ｄ）塗布部材または指用塗布部が交換可能なものは、例えば、経年劣化等により破損した場合でも、塗布部材または指用塗布部が新しいものに交換できる。これにより長期にわたって使用することが可能である。
【考案を実施するための最良の形態】
【００２３】
本考案の実施の形態を図面に基づき更に詳細に説明する。
図１は本考案に係る軟膏塗布具の一実施の形態を示す斜視説明図、
図２は図１に示す軟膏塗布具の要部拡大説明図、
図３は軟膏塗布具のＡ−Ａ端面図、
図４は軟膏塗布具のＢ−Ｂ断面図である。
【００２４】
軟膏塗布具Ｎは、所要長さを有する柄部材１と、柄部材１の一端側（先端側）に取り付けてある塗布部材２と、指用塗布部材３を備えている。
【００２５】
柄部材１は、基柄部材１０と、振出し部材１１と、先部部材１２を備えている。基柄部材１０は円管形状を有しており、振出し部材１１及び先部部材１２は、基柄部材１０の内径よりやや径小な外径を有する中実の丸棒形状を有している。基柄部材１０、振出し部材１１、先部部材１２はアルミニウム製のものを使用したが、これは特に限定するものではなく、例えば、合成樹脂や他の金属で形成されたものを使用しても良い。
【００２６】
柄部材１は、基柄部材１０の内部に振出し部材１１を入子状に出し入れ可能に設け、振出し部材１１の先端に先部部材１２を回動可能に繋いで構成してある。
【００２７】
基柄部材１０の先端には締付部材１００が設けてあり、締付部材１００を周方向に回すことで振出し部材１１を所要位置で固定したり、また固定状態を解除したりできる。振出し部材１１は、締付部材１００で固定されていない状態で、基柄部材１０に対して周方向に動かすことができる。
【００２８】
基柄部材１０の基部側には握り部１０１が設けてある。握り部１０１には紐等を通したりできる貫通部１０２が設けてある。握り部１０１は、合成樹脂製のものを使用したが、これは特に限定するものではなく、例えば、ゴムで形成されたものを使用しても良い。また、基柄部材１０と一体に設けても良い。
【００２９】
先部部材１２は、振出し部材１１の先端に設けた固定ネジ１３によって所要の回動状態で固定できるよう繋いである。振出し部材１１の先端部は、略半円形の柱状部が形成されるよう軸方向に周面の半分を切り欠いて連結部１１０が形成してある。同じように先部部材１２の基端部にも、略半円形の柱状部が形成されるよう軸方向に周面の半分を切り欠いて連結部１２０が形成してある。
【００３０】
連結部１１０には、固定ネジ１３のボルト軸１３０がねじ込み可能なネジ穴（符号省略）が貫通して形成してあり、連結部１２０にはボルト軸１３０が貫通可能な貫通穴（符号省略）が形成してある。ネジ穴と貫通穴は、連結部１１０と連結部１２０の側面を合わせたときに中心部の軸線が同軸線上に位置するよう形成してある。
【００３１】
また、先部部材１２の先端面の略中心部には、径小な挿し込み孔１２１が先部部材１２の長さ方向に延びて所要深さを有するよう形成してある。挿し込み孔１２１には、指用塗布部材３等の部材の一部が挿し込まれる。
【００３２】
振出し部材１１と先部部材１２は、座金１４を間に挟んで連結部１１０と連結部１２０の側面を合わせ、固定ネジ１３のボルト軸１３０を貫通穴を通してネジ穴にねじ込むことにより繋いである。先部部材１２は、固定ネジ１３を締め込むことによって所定角度で固定可能であり、固定ネジ１３を緩めることで任意の角度に回動可能である。
【００３３】
先部部材１２の先端部には、塗布部材２等を取り付ける取着キャップ４が設けてある。取着キャップ４は内部に嵌合部４０を備えるキャップ形状に形成してある。
【００３４】
取着キャップ４の先端部には、周縁部に段部４１が形成されるよう中央部分に凹部４２が形成してある。凹部４２の中心部には径小な貫通孔４２０が形成してある。貫通孔４２０は、先部部材１２を嵌合部４０内に入れて嵌めたときに、挿し込み孔１２１と対応する位置に形成してある。取着キャップ４は先部部材１２から取り外すことも可能である。
【００３５】
取着キャップ４の先端部に形成してある段部４１の端面４１０には、塗布部材２を取り付ける取着孔４１１が形成してある。取着孔４１１は所要間隔をあけて複数設けてある。本実施の形態で取着孔４１１は二箇所に設けたが、数は特に限定するものではない。
【００３６】
また、取着キャップ４の端面４１０には、指用塗布部材３の一部を嵌めて位置を固定する嵌合溝４１２が形成してある。嵌合溝４１２は、貫通孔４２０の位置から放射方向に向けて複数本形成してある。嵌合溝４１２は五箇所に設けたが、数は特に限定するものではない。
【００３７】
取着キャップ４は合成樹脂製のものを使用したが、これは特に限定するものではなく、例えば、ゴムで形成されたものを使用しても良い。また、先部部材１２と一体に設けても良い。
【００３８】
塗布部材２は、塗布部材本体２０と、塗布部材本体２０を取着キャップに取り付ける取着部材２１を備えている。塗布部材本体２０は、所要の大きさを有する長円状または楕円状の板状体で形成してあり、足の甲、足の裏またはかかとの形状に沿うまたは実質的に沿うよう表面が凹状に裏面が凸状に湾曲した塗布面２００，２０１を備えている。詳しくは塗布面２００はかかとに沿うように、また塗布面２０１は足の甲、足の裏（土踏まずを含む）に沿うよう形成してある。塗布面２００，２０１はいずれも滑りが良い（滑らかな）状態にしてある。塗布部材本体２０は、合成樹脂製のものを使用したが、これは特に限定するものではなく、例えば、金属やゴムで形成されたものを使用しても良い。また、可撓性を備えるものを使用しても良い。
【００３９】
取着部材２１は、変形性または可曲性を有する一本物の径小の棒体または線状体で形成してある。取着部材２１は、両端側を所要長さ外方に延出させた状態で、塗布部材本体２０の周縁部に沿うよう内蔵して固着してある。取着部材２１は、塗布面２００，２０１上に凹凸を形成しないように塗布部材本体２０の厚み部分に内蔵してある。取着部材２１は曲げ可能な針金を使用したが、これは特に限定するものではない。
【００４０】
塗布部材２は、一体に固着してある取着部材２１の両端側を取着孔４１１に挿し込むことで、取着キャップ４を介して柄部材１に取り付けてある。塗布部材２は取着キャップ４から取り外して交換可能である。塗布部材２は、取着部材２１を変形または曲げることで柄部材１に対して所要の角度が調整可能である。
【００４１】
指用塗布部材３は、塗布部材本体３０と、塗布部材本体３０を取着キャップ４に取り付ける取着部材３１を備えている。塗布部材本体３０は、足の指の間に入り込むことができる大きさを有しており、やや縦長い球形状または卵状の球形状に形成してある。また、塗布部材本体３０の表面は滑りが良い（滑らかな）状態にしてある。塗布部材本体３０は、合成樹脂製のものを使用したが、これは特に限定するものではなく、例えば、金属やゴムで形成されたものを使用しても良い。また、表面にやや柔軟性を備えるものを使用しても良い。
【００４２】
取着部材３１は、可撓性を有する径小の棒体または線状体を所要形状に曲げて、その形状が維持できるよう形成してある。具体的に取着部材３１は、貫通孔４２０と挿し込み孔１２１に挿し込んだときに基部側が嵌合溝４１２に嵌り、更にそれより先部側の部分が略半円弧形状を有するように曲げて形成してある（図２参照）。上記した塗布部材本体３０は、取着部材３１の先端に取り付けてある。取着部材３１は可撓性を有する針金を使用したが、これは特に限定するものではない。
【００４３】
指用塗布部材３は、取着部材３１の基端側を貫通孔４２０と挿し込み孔１２１に挿し込み、基部側を嵌合溝４１２に嵌めることで取着キャップ４を介して柄部材１に取り付けてある。指用塗布部材３は取着キャップ４から取り外して交換可能である。指用塗布部材３は、複数形成してある嵌合溝４１２の中から、基部側を嵌める嵌合溝４１２を変えることで任意の位置に取り付けられる。
【００４４】
図２を参照する。符号５は細部塗布部材を示している。細部塗布部材５は、綿棒５０と、綿棒５０を取着キャップ４に取り付ける取着部材５１を備えている。細部塗布部材５に使用する綿棒５０は、一般的なものであり棒部５００を所要位置で切断して一端側のみに綿部５０１が設けられるようにしている。
【００４５】
取着部材５１は、可撓性を有する径小の棒体または線状体の基部側を所要形状に曲げて、その形状が維持できるよう形成してある。具体的に取着部材５１は、貫通孔４２０と挿し込み孔１２１に挿し込んだときに基部側が嵌合溝４１２に嵌り、それより先部側の部分が立ち上がって直線部を形成するように、基部側がクランク形状を有するよう形成してある。取着部材５１の少なくとも先端側は、綿棒５０が挿し込み可能な管状に形成してある。
【００４６】
細部塗布部材５は、指用塗布部材３を取り外し、基部側を貫通孔４２０と挿し込み孔１２１に挿し込み、基部側を嵌合溝４１２に嵌めることで取着キャップ４を介して柄部材１に取り付け可能である。このように細部塗布部材５は、指用塗布部材３と入れ替えて使用可能である。なお、綿棒５０は取り替え可能である。
【００４７】
（作  用）
図５は図１に示す軟膏塗布具の使用状態を示す説明図である。
図１ないし図５を参照して本実施の形態で示す軟膏塗布具Ｎの作用を説明する。
軟膏塗布具Ｎは、足の甲や足の裏、かかと、足の指の間等に、抗真菌外用剤を含む軟膏を塗布するのに好適なものである。軟膏塗布具Ｎは、振出し部材１１を基柄部材１０から出し入れして柄部材１の長さを固定し、先部部材１２の角度を調整した状態で使用される。そうして握り部１０１を握り持って、例えば椅子に腰掛けた状態でも、塗布部材２、指用塗布部材３や細部塗布部材５が足に届く状態にする。
【００４８】
軟膏塗布具Ｎの一般的な使い方を説明する。
足の甲や足の裏に軟膏を塗るときは、塗布部材本体２０の裏面となる塗布面２０１に軟膏をつけて使用される。また、かかとに軟膏を塗るときは、塗布部材本体２０の表面となる塗布面２００に軟膏をつけて使用される。塗布部材本体２０は、足の甲、足の裏またはかかとの形状に沿うまたは実質的に沿うよう表面が凹状に裏面が凸状に湾曲して形成してあるので、塗布面２００や塗布面２０１を足の甲や足の裏、かかとに沿わせることができ、これにより軟膏が満遍なく塗布できる。
【００４９】
また、足の指の間に軟膏を塗るときは、指用塗布部材３の表面に軟膏をつけて使用される。塗布部材本体３０は、足の指の間に入り込むことができる大きさのやや縦長い球形状または卵のような球形状に形成してあるので、足の指の間に入れることができ、これにより軟膏が満遍なく塗布できる。更に、爪の縁等の細部への軟膏の塗布には細部塗布部材５が使用される。軟膏は綿棒５０につけて塗布される。なお、軟膏塗布具Ｎの使い方は、上記したものに限定するものではない。
【００５０】
このように軟膏塗布具Ｎによれば、例えば椅子に腰掛けることで自分自身では手等が届きにくくなっている箇所でも、軟膏が満遍なく塗布できる。従って、軟膏塗布具Ｎを使うことにより、例えば、人工股関節置換術を受ける等して関節可動域制限ある患者でも、無理な姿勢をとることなく足への軟膏の塗布が自分自身でできる。
【００５１】
本明細書で使用している用語と表現は、あくまでも説明上のものであって、なんら限定的なものではなく、本明細書に記述された特徴およびその一部と等価の用語や表現を除外する意図はない。また、本考案の技術思想の範囲内で、種々の変形態様が可能であるということは言うまでもない。
【図面の簡単な説明】
【００５２】
【図１】本考案に係る軟膏塗布具の一実施の形態を示す斜視説明図。
【図２】図１に示す軟膏塗布具の要部拡大説明図。
【図３】軟膏塗布具のＡ−Ａ端面図。
【図４】軟膏塗布具のＢ−Ｂ断面図。
【図５】図１に示す軟膏塗布具の使用状態を示す説明図。
【符号の説明】
【００５３】
Ｎ  軟膏塗布具
１  柄部材
１０  基柄部材
１００  締付部材
１０１  握り部
１０２  貫通部
１１  振出し部材
１１０  連結部
１２  先部部材
１２０  連結部
１２１  挿し込み孔
１３  固定ネジ
１３０  ボルト軸
１４  座金
２  塗布部材
２０  塗布部材本体
２００、２０１  塗布面
２１  取着部材
３  指用塗布部材
３１  取着部材
３０  塗布部材本体
４  取着キャップ
４０  嵌合部
４１  段部
４１０  端面
４１１  取着孔
４１２  嵌合溝
４２  凹部
４２０  貫通孔
５  細部塗布部材
５０  綿棒
５００  棒部
５０１  綿部
５１  取着部材
【図１】
0003126083.tif 000003
【図２】
0003126083.tif 000004
【図３】
0003126083.tif 000005
【図４】
0003126083.tif 000006
【図５】
0003126083.tif 000007